(57)【要約】      （修正有）【課題】水面付近でも水中でも、姿勢を安定的に保つことができるとともに、効果的に魚をおびき寄せることが可能であり、更に、魚に対して絶大なるアピールが可能なルアーを提供する。【解決手段】錘を含むルアー本体２と、前記ルアー本体２の頭部側に設けられた釣糸連結部４と、前記ルアー本体２の一方の側面から他方の側面まで貫通する孔６と、前記ルアー本体２の両側面に前記孔からみて前記頭部側に設けられた一対の凸状部８と、前記孔６に挿入された長尺状部材１０と、を備える。【選択図】図１
2019129746.tif 000002
【特許請求の範囲】
【請求項１】
錘を含むルアー本体と、
前記ルアー本体の頭部側に設けられた釣糸連結部と、
前記ルアー本体の一方の側面から他方の側面まで貫通する孔と、
前記ルアー本体の両側面に前記孔からみて前記頭部側に設けられた一対の凸状部と、
前記孔に挿入された長尺状部材と、を備えること、
を特徴とするルアー。
【請求項２】
前記長尺状部材が、ゴム又は樹脂で形成されている偏平形状又は断面略円形状の紐状体であること、
を特徴とする請求項１に記載のルアー。
【請求項３】
前記ルアーの重心が、前記ルアーの全長をＬとした場合、全長の中心点Ｃから頭部側及び尾部側にそれぞれ０．２５Ｌの範囲内に位置すること、
を特徴とする請求項１に記載のルアー。
【発明の詳細な説明】
【技術分野】
【０００１】
本発明は、魚釣りに使用されるルアーに関する。
【背景技術】
【０００２】
従来から、ブラックバス、シーバス（スズキ）及びロウニンアジ等の肉食性の魚を釣る道具として、多種多様なルアーが製造・販売されている。なかでも、いわゆるトップ・ウォーター型と称されるルアーは、水中にあまり潜らず、水面にて動作して魚をおびき寄せるように構成されている。このタイプのルアーは、魚が水面にて食いつく姿を釣り人が確認することができるので、人気の高いものである。
【０００３】
ここで、例えば特許文献１（特開２０００−３４２１１７号公報）においては、「魚釣りに用いられキャスティング後には水面付近を泳動するトップウオータ型ルアーであって、中実のルアー本体と、前記ルアー本体の後端にその一部が露出するように挿入された錘とを備え、ルアーの全体の重心位置が前記ルアー本体の長さ方向中央より後端側に位置するルアー。」が提案されている。
【０００４】
また、特許文献２（特開２００９−１３１２１４号公報）においては、「魚釣りに用いられるルアーであって、 頭部側に釣糸連結部を有する水に浮かぶルアー本体を備えており、前記ルアー本体は、内部に形成される注水部と、外表面から前記注水部に向けて貫通する貫通孔とを備えるルアー。」が提案されている。
【先行技術文献】
【特許文献】
【０００５】
【特許文献１】特開２０００−３４２１１７号公報
【特許文献２】特開２００９−１３１２１４号公報
【発明の開示】
【発明が解決しようとする課題】
【０００６】
しかしながら、上記特許文献１のルアーでは、トップ・ウォーター型としてのみ使用できるだけで、水中深くに潜った状態では姿勢が不安定となって効果的なアクションを起こさず、うまくキャスティングできないという問題がある。また、上記特許文献２のルアーであっても、水中での姿勢を安定的に保つことができるものの、魚をおびき寄せるという観点からは、未だ改善の余地があった。
【０００７】
そこで、本発明は、水面付近でも水中でも、姿勢を安定的に保つことができるとともに、効果的に魚をおびき寄せることが可能であり、更に、魚に対して絶大なるアピールが可能なルアーを提供することを目的とする。
【課題を解決するための手段】
【０００８】
上記の課題を解決すべく、本発明は、
錘を含むルアー本体と、
前記ルアー本体の頭部側に設けられた釣糸連結部と、
前記ルアー本体の一方の側面から他方の側面まで貫通する孔と、
前記ルアー本体の両側面に前記孔からみて前記頭部側に設けられた一対の凸状部と、
前記孔に挿入された長尺状部材と、を備えること、
を特徴とするルアー、
を提供する。
【０００９】
ここで、本発明のルアーが含む錘は、ルアーの重心が全長のうちの中心付近に位置するように、いずれかの部分に内蔵されていればよい。もちろん、ルアー自体が全体として重さを有していて錘を兼ねていてもよい。即ち、本発明のルアーは自重により水中に沈むものである。
【００１０】
このような構成を有する本発明のルアーによれば、水中に深く沈んで牽引される場合は、孔と凸状部とが相俟って水流を起こすとともに波動を生み、深場の魚に存在をアピールでき、また、水面付近の浅い部分を牽引される場合は、凸状部が抵抗の役割を果たしてうまく牽引することができ、かつ孔と凸状部とが相俟って水流を起こすとともに波動を生み、浅場の魚にも存在をアピールできるという作用効果を奏する。
【００１１】
また、本発明のルアーによれば、錘を有していることにより、自重により水中で沈んでいくものであるが、この際、上記のような構成を有することにより、空中において葉が揺ら揺らと落ちるように、姿勢を安定的に保って水中深くに沈んでいく。即ち、頭部側又は尾側が下向きになって沈んでいかない。そして、このように姿勢を保って沈んでいく際にも、孔と凸状部とが相俟って水流を起こすとともに波動を生み、付近の魚に存在をアピールできるという作用効果を奏する。
【００１２】
更に、本発明のルアーによれば、前記孔に挿入された長尺状部材が存在することにより、水中に深く沈んで牽引される場合、水面付近の浅い部分を牽引される場合、及び、自重により水中で沈んでいく場合であっても、当該長尺状部材も更に水流を起こすとともに波動を生み、最大限に魚に対してその存在をアピールすることができる。
【発明の効果】
【００１３】
本発明によれば、水面付近でも水中でも、姿勢を安定的に保つことができるとともに、効果的に魚をおびき寄せることが可能であり、更に、魚に対して絶大なるアピールが可能なルアーを実現できる。
【図面の簡単な説明】
【００１４】
【図１】本発明の一実施形態に係るルアーの側面図である。
【図２】図１に示すルアー１の上面図である。
【図３】図１に示すルアー１を深い水中で牽引する様子を示す図である。
【図４】図１に示すルアー１を浅い水中で牽引する様子を示す図である。
【図５】ルアー１の重心の好ましい位置の範囲Ｒを概念的に示す図である。
【発明を実施するための形態】
【００１５】
以下、本発明に係るルアーの代表的な実施形態を、図面を参照しながら詳細に説明する。但し、本発明は図示されるものに限られず、また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１６】
図１は、本発明の一実施形態に係るルアー１の側面図であり、図２は、図１に示すルアー１の上面図である。また、図３は、図１に示すルアー１を深い水中で牽引する様子を示す図であり、図４は、図１に示すルアー１を浅い水中で牽引する様子を示す図である。
【００１７】
本実施形態のルアー１は、錘を含むルアー本体２と、ルアー本体２の頭部側に設けられた釣糸連結部４と、ルアー本体２の一方の側面から他方の側面まで略直線状に貫通する孔６と、ルアー本体２の両側面に孔６からみてルアー本体２の長さ方向頭部側に設けられた一対の凸状部８と、を備える。即ち、ルアー１が釣糸連結部４から引っ張られて水中を進む場合に、進行方向において前側に凸状部８が位置し、その後ろ側に孔６が位置する。また、尾部側にも仕掛け等のための連結部４が設けられている。そして、孔６は、ルアー本体２の長さ方向における略中心部に設けられており、長尺状部材１０が挿入されている。この長尺状部材１０は、ゴム又は樹脂で形成されている偏平形状又は断面略円形状の紐状体であるのが好ましい。また、種々の色を付してよく、魚にアピールするという観点からも、蛍光色等が好ましい。
【００１８】
ここで、ルアー１は自重により水中に沈むように錘を含んでいるが、上記のように、ルアーの重心がルアー１の全長のうちの中心付近に位置するように、いずれかの部分に内蔵されていればよい。もちろん、ルアー自体が全体として重さを有していて錘を兼ねていてもよい。例えば、ルアー１の全長をＬとした場合、全長の中心点Ｃから前後０．２５Ｌの範囲Ｒ（＝０．５Ｌ）内にあるのが好ましい。図５に、この重心の好ましい位置の範囲Ｒを概念的に示した。なかでも好ましくは０．３Ｌ（前後０．１５Ｌ）の範囲内、更に好ましくは０．２Ｌ（前後０．１Ｌ）の範囲内に、重心が位置するのが好ましい。
【００１９】
このような構成を有する本実施形態のルアー１は、図３に示すように、水中に深く沈んで牽引される場合は、孔６と凸状部８とが相俟って水流を起こすとともに波動を生み、深場の魚に存在をアピールでき、また、図４に示すように、水面付近の浅い部分を牽引される場合は、主として凸状部８が抵抗の役割を果たしてうまく牽引することができ、かつ孔６と凸状部８とが相俟って水流を起こすとともに波動を生み、浅場の魚にも存在をアピールできる。空気中から水中に投げ込まれた後には、孔の内部の空気が気泡となって放出し、これもルアーの存在を魚にアピールする上で重要な役割を果たす。
【００２０】
更に本実施形態のルアー１は、水面に落とした場合、図示しないが、空中において葉が揺ら揺らと落ちるように、姿勢を安定的に保ちながら水中の深くに沈んでいく。即ち、頭部側又は尾側が下向きになって沈んでいくのではなく、姿勢を安定的に保ちつつ沈んでいくのである。そして、この際にも、孔６と凸状部８とが相俟って水流を起こすとともに波動を生み、付近の魚に存在をアピールできる。
【００２１】
更に、本実施形態のルアー１によれば、孔６に挿入された長尺状部材１０が存在することにより、水中に深く沈んで牽引される場合、水面付近の浅い部分を牽引される場合、及び、自重により水中で沈んでいく場合であっても、長尺状部材１０が更に水流を起こすとともに波動を生み、最大限に魚に対してその存在をアピールすることができる。
【００２２】
次に、孔６の開口は略円形状であり、その径は、上記のように効果的に水流を起こすとともに波動を生むという観点からは、０．１ｍｍ〜５ｍｍであること、が好ましい。この範囲であれば、より確実に水流を起こすとともに波動を生むことができる。特に下限は１ｍｍで上限は３ｍｍ〜５ｍｍであるのが好ましい。
【００２３】
また、孔６の中心から凸状部８までの距離が、３ｍｍ〜１５ｍｍであること、が好ましい。このような距離を有することにより、より確実に水流を起こすとともに波動を生むことができる。特に下限は５ｍｍで上限は１０ｍｍ〜１５ｍｍであるのが好ましい。
【００２４】
また、凸状部８の高さは１ｍｍ〜１５ｍｍであればよい。下限は、３ｍｍであるのが好ましく、更には５ｍｍであるのが好ましい。また、上限は、１０ｍｍであるのが好ましく、更には５ｍｍであるのが好ましい。このような高さを有することにより、より確実に水流を起こすとともに波動を生むことができる。
【００２５】
ここで、上記の長尺状部材１０は、孔６に挿入されて、図１及び２に示すように、ルアー本体２の一方の側面から他方の側面まで延びるように配置されている。この長尺状部材１０の寸法は、孔６の径の寸法に応じて適宜選択すればよいが、孔６に挿入した状態で水中で牽引された場合にも直ぐに抜けることないように、適宜選択する。
【００２６】
本実施形態のルアー１においては、更に、孔６の開口付近に、星型凸部（図示せず）が設けられている。この星型凸部が存在することにより、確実に水流を起こすとともに波動を生むことができる。星型凸部は、星型正多角形（星型五芒星）であるのが特に有効であることを、本発明者は見出した。
【００２７】
以上、本発明の一実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【符号の説明】
【００２８】
１      ルアー
２      ルアー本体
４      連結部
６      孔
８      凸状部
１０    長尺状部材
【図１】
2019129746.tif 000003
【図２】
2019129746.tif 000004
【図３】
2019129746.tif 000005
【図４】
2019129746.tif 000006
【図５】
2019129746.tif 000007
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
錘を含むルアー本体と、
前記ルアー本体の頭部側に設けられた釣糸連結部と、
前記ルアー本体の一方の側面から他方の側面まで貫通する孔と、
前記ルアー本体の両側面に前記孔からみて前記頭部側に設けられた一対の凸状部と、
前記孔に挿入された扁平形状又は断面略円形状の紐状体からなる長尺状部材と、を備え、
前記孔が０．１ｍｍ〜５ｍｍの径を有する略円形状の開口を有し、
前記孔の中心から前記凸状部までの距離が３ｍｍ〜１５ｍｍであること、
を特徴とするルアー。
【請求項２】
前記長尺状部材が、ゴム又は樹脂で形成されていること、
を特徴とする請求項１に記載のルアー。
【請求項３】
前記ルアーの重心が、前記ルアーの全長をＬとした場合、全長の中心点Ｃから頭部側及び尾部側にそれぞれ０．２５Ｌの範囲内に位置すること、
を特徴とする請求項１に記載のルアー。
【手続補正２】
【補正対象書類名】明細書
【補正対象項目名】０００８
【補正方法】変更
【補正の内容】
【０００８】
上記の課題を解決すべく、本発明は、
錘を含むルアー本体と、
前記ルアー本体の頭部側に設けられた釣糸連結部と、
前記ルアー本体の一方の側面から他方の側面まで貫通する孔と、
前記ルアー本体の両側面に前記孔からみて前記頭部側に設けられた一対の凸状部と、
前記孔に挿入された扁平形状又は断面略円形状の紐状体からなる長尺状部材と、を備え、
前記孔が０．１ｍｍ〜５ｍｍの径を有する略円形状の開口を有し、
前記孔の中心から前記凸状部までの距離が３ｍｍ〜１５ｍｍであること、
を特徴とするルアー、
を提供する。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
錘を含むルアー本体と、
前記ルアー本体の頭部側に設けられた釣糸連結部と、
前記ルアー本体の一方の側面から他方の側面まで貫通する孔と、
前記ルアー本体の両側面に前記孔からみて前記頭部側に設けられた一対の凸状部と、
前記孔に挿入された扁平形状又は断面略円形状のゴム又は樹脂で形成された紐状体からなる長尺状部材と、を備え、
前記孔が０．１ｍｍ〜５ｍｍの径を有する略円形状の開口を有し、
前記孔の中心から前記凸状部までの距離が３ｍｍ〜１５ｍｍであり、
前記凸状部の高さが１ｍｍ〜１５ｍｍであり、
前記ルアーの重心が、前記ルアーの全長をＬとした場合、全長の中心点Ｃから頭部側及び尾部側にそれぞれ０．２５Ｌの範囲内に位置すること、
を特徴とするルアー。
【手続補正２】
【補正対象書類名】明細書
【補正対象項目名】０００８
【補正方法】変更
【補正の内容】
【０００８】
上記の課題を解決すべく、本発明は、
錘を含むルアー本体と、
前記ルアー本体の頭部側に設けられた釣糸連結部と、
前記ルアー本体の一方の側面から他方の側面まで貫通する孔と、
前記ルアー本体の両側面に前記孔からみて前記頭部側に設けられた一対の凸状部と、
前記孔に挿入された扁平形状又は断面略円形状のゴム又は樹脂で形成された紐状体からなる長尺状部材と、を備え、
前記孔が０．１ｍｍ〜５ｍｍの径を有する略円形状の開口を有し、
前記孔の中心から前記凸状部までの距離が３ｍｍ〜１５ｍｍであり、
前記凸状部の高さが１ｍｍ〜１５ｍｍであり、
前記ルアーの重心が、前記ルアーの全長をＬとした場合、全長の中心点Ｃから頭部側及び尾部側にそれぞれ０．２５Ｌの範囲内に位置すること、
を特徴とするルアー、
を提供する。